(57)【特許請求の範囲】
【請求項１】
胚芽押麦、黒糖、食塩及び水を混合し前記胚芽押麦の表面に存在している植物性乳酸菌を培養して得られる植物性乳酸菌溶液と、広葉樹の葉を用いた腐葉土とを、混合して発酵させることにより得られた、人体に有益な常在菌を保持する堆肥と、前記常在菌と前記植物性乳酸菌の住処となる珪藻土と、前記堆肥と前記珪藻土とを接着して塗布しやすくするための接着剤と、を含む塗布材。
【請求項２】
前記接着剤として、環境ホルモンを含まない、でんぷん糊、障子糊、及び木工用樹脂ボンドのうち少なくとも１つを用いたものである請求項１に記載の塗布材。
【請求項３】
胚芽押麦、黒糖、食塩及び水を混合し前記胚芽押麦の表面に存在している植物性乳酸菌を培養して得られる植物性乳酸菌溶液と、広葉樹の葉を用いた腐葉土とを、混合して発酵させることにより得られた、人体に有益な常在菌を保持する堆肥と、前記常在菌と前記植物性乳酸菌の住処となる珪藻土と、前記堆肥と前記珪藻土とを接着して塗布しやすくするための接着剤と、を混合する工程を備えた塗布材の製造方法。
【請求項４】
前記接着剤として、環境ホルモンを含まない、でんぷん糊、障子糊、及び木工用樹脂ボンドのうち少なくとも１つを用いたものである請求項３に記載の塗布材の製造方法。
【発明の詳細な説明】
【技術分野】
【０００１】
本発明は、ホルムアルデヒドなどの環境ホルモンによる人体への影響やシックハウス症候群など、住環境に起因する症状の改善を図った塗布材とその製造方法に関する。 
【背景技術】
【０００２】
従来の塗布材には、珪藻土や抗酸化素材によって、壁紙（クロス）などの建築素材や接着剤から出る環境ホルモンを遮断したり、室内の湿度を調整したり、空気を清浄化するものがある。
【発明の概要】
【発明が解決しようとする課題】
【０００３】
上記に述べた従来の塗布材では、建築素材から出る環境ホルモンを遮断する目的で珪藻土が使われたり、珪藻土に抗酸化素材を混ぜて使われることがあった。しかし、抗酸化素材には殺菌効果があったが、同時に常在菌が活性化しにくいという問題があった。
【０００４】
本発明は、このような従来の塗布材が有していた問題を解決しようとするものであり、住人に有益な常在菌を活性化させ、外部からの菌やウイルスに対し抵抗力を高める塗布材及びその製造方法を提供することを目的とする。 
【課題を解決するための手段】
【０００５】
上記目的を達成するために、本発明の塗布材は、人体に有益な常在菌を保持するための堆肥と、前記常在菌の住処となる珪藻土と、前記堆肥と前記珪藻土とを接着して塗布しやすくするための接着剤とを混合したものである。
【０００６】
前記堆肥は、腐葉土を植物性乳酸菌溶液と混合し、前記植物性乳酸菌溶液中の前記植物性乳酸菌で発酵させて得る。前記腐葉土には、針葉樹のものと広葉樹のものがあるが、針葉樹よりも広葉樹のほうが発酵に適している。針葉樹の腐葉土は、前記植物性乳酸菌と混合しても発酵の変化が乏しく、堆肥を得るのに適していない。前記堆肥を得るのに適している広葉樹の腐葉土は、例えば、クヌギ、サクラ、ツバキなどのものがあるが、他の広葉樹についても同様の効果がある。
【０００７】
上記の前記植物性乳酸菌溶液は、前記植物性乳酸菌を培養するのに適した植物と、前記植物性乳酸菌と、前記植物性乳酸菌の餌と、水とを混合する工程を経て、密封容器の中で前記植物性乳酸菌を培養して得る。前記植物性乳酸菌を培養するのに適した植物には、例えば玄米、無洗米、白米、押麦、胚芽押麦などがあるが、培養の途中や長期間の保存において変質や腐敗が少ない理由で、胚芽押麦を使用する。
【０００８】
前記植物性乳酸菌を培養するのに適した植物には、通常、前記植物性乳酸菌が存在する。前記植物性乳酸菌は、前記胚芽押麦に付着しているものを使用する。
【０００９】
前記植物性乳酸菌の餌は、黒砂糖と、食塩を使用する。前記植物性乳酸菌は、密封容器の中で培養して得るが、培養の状態は、内部で発酵が起こって密封容器が膨らむ現象や、前記植物性乳酸菌溶液の匂いの変化を観察して確認する。前記植物性乳酸菌の餌は、グラニュー糖を使用した場合よりも、ミネラルを含んだ黒砂糖と食塩を使用した方が、発酵による変化が大きく、前記植物性乳酸菌がより活性化していると考えられるため、培養に適している。前記植物性乳酸菌を密封容器の中で培養する理由は、嫌気性の植物性乳酸菌の方が、好気性乳酸菌や動物性乳酸菌よりも、変質や腐敗のリスクが少ないからである。容器を密封しない条件で好気性乳酸菌を培養しようとすると、乳酸菌以外の他の雑菌も同時に培養してしまい、変質や腐敗の原因になる。また、乳製品などに含まれる動物性乳酸菌を培養しようとすると、乳製品の成分が変質や腐敗の原因になるからである。
【００１０】
次に、前記珪藻土は、塗布した後も前記植物性乳酸菌を保護するため、土や砂、樹脂などの混入が少ない内壁用のものを使用する。また、珪藻土の特徴として知られている優れた吸湿性、消臭性、断熱性などを利用するために、なるべく純粋で、細かく破砕しすぎないものを使用する。
【００１１】
次に、前記接着剤は、塗布した後も前記植物性乳酸菌を保護するため、有機溶剤や環境ホルモンを含まない、でんぷん糊又は、障子糊又は、木工用樹脂ボンドなどの接着剤のうち、どれか１つ以上を使用する。
【００１２】
なお、上記の、前記人体に有益な常在菌について、説明する。前記堆肥を得るために、腐葉土を植物性乳酸菌溶液と混合し、前記植物性乳酸菌溶液中の前記植物性乳酸菌で発酵させる工程において、発酵の途中でアルコール臭が生じるため、前記腐葉土には酵母菌が存在すると考えられる。また、発酵の途中で前記腐葉土の表面に菌膜（バイオフィルム）が生じるため、前記腐葉土には好気性の枯草菌が存在すると考えられる。枯草菌は、タンパク質分解酵素を作るために利用されたり、納豆を作るための納豆菌として利用されることで知られている。
【００１３】
前記堆肥を得る工程で前記常在菌が酵素を発生させることで、本発明の塗布材は、前記常在菌が生存しながら、同時に、臭いを分解したり他の雑菌を寄り付きにくくするといった、抗酸化素材としての特徴も併せ持つと考えられる。
【発明の効果】
【００１４】
上述したように本発明の塗布材は、珪藻土が持つ建築素材からの環境ホルモンを遮断する効果、及び人体に有益な常在菌を室内において活性化する効果を発揮するものである。
【図面の簡単な説明】
【００１５】
【図１】本発明の実施の形態を示す製造工程図。
【図２】本発明の実施の形態を示す製造工程図。
【図３】本発明の実施の形態を示す製造工程図。
【図４】本発明の実施の形態を示す製造工程図。
【図５】本発明の実施の形態を示す製造工程図。
【図６】本発明の実施の形態を示す製造工程図。
【図７】本発明の実施の形態を示す製造工程図。
【図８】本発明の実施の形態を示す製造工程図。
【図９】本発明の実施の形態を示す製造工程図。
【図１０】本発明の実施の形態を示す製造工程図。
【発明を実施するための形態】
【００１６】
以下、本発明の実施の形態１を、図１、２、３、４、５に示す製造工程図に基いて説明する。
【００１７】
まず、植物性乳酸菌を培養するのに適した植物と、前記植物性乳酸菌と、前記植物性乳酸菌の餌と、水とを混合する第１工程について説明する。
植物性乳酸菌を培養するのに適した植物として、胚芽押麦を使用する。前記植物性乳酸菌は、前記胚芽押麦の表面に存在しているものを利用する。前記植物性乳酸菌の餌として、黒砂糖と、食塩とを使用する。図１において、密封出来るフタが付いた１０リットルの飲料水用容器１に水２を９割ほど入れて、黒砂糖３を３００グラム、食塩４を１００グラム溶かし、撹拌棒５で混合させた後、胚芽押麦６を１８０グラムを目安に適量入れる。胚芽押麦６の表面には、通常、植物性乳酸菌７が存在している。胚芽押麦６を使用することで、植物性乳酸菌７を培養する効果が顕著である。
【００１８】
次に、密封容器１の中で前記植物性乳酸菌７を培養し、植物性乳酸菌溶液を得る第２工程について説明する。
図２において、図１の容器１をフタ８で密封して、前記植物性乳酸菌７を培養し、植物性乳酸菌溶液９を得る。容器１を密封するのは、胚芽押麦６の表面に存在している嫌気性の植物性乳酸菌７を増やすためである。培養の期間は３日間が目安である。なお、電気アンカなどで摂氏３５度前後の温度を維持すると培養しやすい。容器１のフタ８を緩めて膨張した空気が漏れる段階になれば、後に説明する腐葉土１０を発酵させるのに使用できる。空気が漏れない場合は、匂いなどで発酵を確認する。なお、ヨモギなどの野草を入れることで、植物性乳酸菌７を発酵させやすく、のちの工程で確認しやすいが、野草は季節的なものであるため、適宜、追加する必要が生じる。
【００１９】
次に、図２で得た前記植物性乳酸菌溶液９を腐葉土と混合して発酵させることにより、堆肥を得る第３工程について説明する。
前記腐葉土は、広葉樹のものを使用する。前記植物性乳酸菌溶液９を腐葉土と混合するのにフタ付きのバケツを使用する。図３において、腐葉土１０を６リットルのバケツ１１に８分目ほどを目安に入れる。次に、前記密封容器１の中で培養して得た前記植物性乳酸菌溶液９を、なるべく胚芽押麦６が入らないように調理用オタマジャクシ１２を使って前記容器１からすくい、前記腐葉土１０がバケツ内で混合できる程度の量を入れる。次に、前記植物性乳酸菌溶液９と前記腐葉土１０を混合するために撹拌棒１３で撹拌して、図４に示すようにフタ１４をして約５日間発酵させ、堆肥１５を得る。なお、バケツ１１は完全に密封しなくても良い。実験では、前記バケツ１１で約８分目の腐葉土１０と混合するのに、前記植物性乳酸菌溶液９を約１リットル使用した。
【００２０】
次に、前記腐葉土１０を発酵させて得た堆肥１５を珪藻土と水と粘着剤とともに混合する第４工程について説明する。
図５において、図４で前記腐葉土１０を発酵させて得た堆肥１５を左官用のフネ１６の中に入れて、珪藻土１７と水１８と粘着剤１９を加えて、ヘラ２０で前記左官用のフネ１６の中全体を十分に混ぜ返す。珪藻土１７の１坪分（＝１．８キログラム）に対して、腐葉土１０を発酵させて出来た堆肥１５を１．３キログラムから１．９キログラムの範囲で混合する。粘着剤１９は、障子糊または木工用ボンドなどの内、環境ホルモンを含まない表示のあるものを、約３００グラムを目安に適量使用する。
【００２１】
なお、実験により、珪藻土と堆肥との混合比率が９：８の時、効果が顕著であった。
【００２２】
以上のようにして出来た塗布材を、壁などに塗布することによって、使用する。
【００２３】
上記実施の形態１で出来た塗布材は、１枚の表面に塗布したもので実験を行った。Lサイズのフォトフレームに上記塗布材を塗布したものを設置したところ、近くにいる人が仕事中に居眠りをするようになったという報告があった。上記塗布材を塗布したB5コルクボードを３枚、並列に並べてツイタテとして用いたところ、近くにいると聞こえにくかった耳がよく聞こえるようになったという報告があった。本発明の塗布材は、単に珪藻土を塗布するよりも、堆肥と混合した分の厚みがあるため、珪藻土の吸音特性が増して部屋の残響ノイズが吸収され、それにより相手の話し声が聴きやすくなり、又は音楽のパートが聞き分けやすくなったことで、聴覚の回復力を刺激したと考えられる。
【００２４】
いずれの場合も、周囲の空気が良くなって部屋の音響効果が向上した、何らかの響き（波動）を感じたという報告があった。これらの現象の理由として、発明の効果が空気の清浄化を助けることなどにより、その結果、近くにいる人にリラクゼーション効果が生じたと考えられる。
【００２５】
次に、本発明の実施の形態２を、図１、２、６、７、８、９、１０に示す製造工程図に基いて説明する。
まず、植物性乳酸菌を培養するのに適した植物と、前記植物性乳酸菌と、前記植物性乳酸菌の餌と、水とを混合する第１工程について説明する。
植物性乳酸菌を培養するのに適した植物として、胚芽押麦を使用する。前記植物性乳酸菌は、前記胚芽押麦の表面に存在しているものを利用する。前記植物性乳酸菌の餌として、黒砂糖と、食塩とを使用する。図１において、密封出来るフタが付いた１０リットルの飲料水用容器１に水２を９割ほど入れて、黒砂糖３を３００グラム、食塩４を１００グラム溶かし、撹拌棒５で混合させるため撹拌した後、胚芽押麦６を１８０グラムを目安に適量入れる。胚芽押麦６の表面には通常、植物性乳酸菌７が存在している。胚芽押麦６を使用することで、植物性乳酸菌７を培養する効果が顕著である。
【００２６】
次に、密封容器１の中で前記植物性乳酸菌７を培養し、植物性乳酸菌溶液を得る第２工程について説明する。
図２において、図１の容器１をフタ８で密封して、前記植物性乳酸菌７を培養し、植物性乳酸菌溶液９を得る。容器１を密封するのは、胚芽押麦６の表面に存在している嫌気性の植物性乳酸菌７を増やすためである。培養の期間は３日間が目安である。なお、電気アンカなどで摂氏３５度前後の温度を維持すると培養しやすい。容器１のフタ８を緩めて膨張した空気が漏れる段階になれば、後に説明する腐葉土１０を発酵させるのに使用できる。空気が漏れない場合は匂いなどで発酵を確認する。なお、ヨモギなどの野草を入れることで、植物性乳酸菌７を発酵させやすく、のちの工程で確認しやすいが、野草は季節的なものであるため、適宜、追加する必要が生じる。
【００２７】
次に、図２で得た前記植物性乳酸菌溶液９を腐葉土と混合して発酵させることにより、堆肥を得る第３工程について説明する。
前記腐葉土は、広葉樹のものを使用する。前記植物性乳酸菌溶液９を前記腐葉土と混合するのにフタ付きのバケツを使用する。本発明の実施の形態１で述べた工程とは別に、腐葉土を破砕して植物性乳酸菌溶液９と混合する方法について述べる。
【００２８】
図６において、前記植物性乳酸菌溶液９と同じくらいの濃度の、黒砂糖２１と、食塩２２と、水２３からなる溶液２４を製造する。例として、約１リットルの溶液２４を得るためには、容器２５の中に黒砂糖２１を３０グラム、食塩２２を１０グラム、水２３を１リットルを入れて、撹拌棒２６で混合する。
【００２９】
次に図７において、腐葉土２７を、図６で得た前記黒砂糖２１と食塩２２と水２３からなる溶液２４とともに調理用ミキサー２８で破砕して、腐葉土の溶液を得る。前記腐葉土２７を徐々に加えながら、破砕された葉がゲル状になるように調整する。
【００３０】
次に、図８において、図２で得た前記植物性乳酸菌溶液９と、図７で前記調理用ミキサー２８で破砕して得た前記腐葉土の溶液２９とを混合する。前記調理用ミキサー２８で破砕して得た腐葉土の溶液２９を６リットルのバケツ３０に８分目ほどを目安に入れる。次に、前記密封容器１の中で培養して得た前記植物性乳酸菌溶液９を、なるべく前記胚芽押麦６が入らないように調理用オタマジャクシ３１を使って前記容器１からすくい、腐葉土の溶液２９が発酵出来る程度の量をバケツ３０に入れる。次に、前記植物性乳酸菌溶液９と前記調理用ミキサー２８で破砕して出来た腐葉土の溶液２９を混合するために撹拌棒３２で撹拌して、図９に示すようにフタ３３をして約５日間発酵させ、堆肥３４を得る。なお、前記バケツ３０は完全に密封しなくても良い。実験では、前記６リットルのフタ付きのバケツ３０で約８分目の前記腐葉土の溶液２９と混合するのに、図２で得た前記植物性乳酸菌溶液９を約０．５リットル使用した。また、前記腐葉土２７を前記調理用ミキサー２８で破砕して前記腐葉土の溶液２９を得る理由は、出来上がった塗布材を塗布しやすくしたり、塗布した表面を平坦にして文字を書いたり絵を描いたりしやすくし、製品としての美観を高めるためである。この図８で、前記植物性乳酸菌溶液９を前記バケツ３０に入れる際に、なるべく胚芽押麦６そのものを前記容器１に残す理由は、前記容器１内の前記植物性乳酸菌溶液９が使用して減った場合でも、前記胚芽押麦６が残っていた場合には、図６に示したような、前記容器１内の前記植物性乳酸菌溶液９と同じくらいの濃度の、黒砂糖２１と食塩２２と水２３を混合して得た溶液２４を加えることで、植物性乳酸菌溶液９を新たに作り足すことが容易であるためである。 
【００３１】
次に、前記腐葉土の溶液２９を発酵させて得た堆肥３４を珪藻土と水と粘着剤とともに混合する第４工程について説明する。
図１０において、図９で前記腐葉土の溶液２９を発酵させて得た堆肥３４を左官用のフネ３５の中に入れて、珪藻土３６と水３７と粘着剤３８を加えてヘラ３９で前記左官用のフネ３５の中全体を十分に混ぜ返す。１坪分（＝１．８キログラム）の前記珪藻土３６に対して、前記堆肥３４を１．３キログラムから１．９キログラムの範囲で混合する。前記粘着剤３８は、障子糊または木工用ボンドなどの内、環境ホルモンを含まない表示のあるものを、約３００グラムを目安に適量使用する。
【００３２】
なお、実験により、珪藻土と堆肥との混合比率が９：８の時、効果が顕著であった。
【００３３】
以上のようにして出来た塗布材を、壁などに塗布することによって、使用する。
【００３４】
なお、上記実施の形態２で出来た塗布材は、板の両面に塗布したものや、コルクボードを重ねたもので実験を行った。上記塗布材を両面に塗布した木の板を手に持ったところ、持っていて気持ちが良く癒しのパワーを強く感じた、という報告があった。上記塗布材を塗布したB5コルクボードを３枚、重ねて用いたところ、癒しのパワーを強く感じた、という報告があった。いずれの場合も、何らかの響き（波動）を感じたという報告があった。これらの現象の理由として、塗布材が空気の清浄化を助けることなどにより、その結果、近くにいる人にリラクゼーション効果が生じたと考えられる。
【００３５】
以上、実施の形態１及び２で説明したように、本発明の塗布材は、珪藻土が持つ建築素材からの環境ホルモンを遮断する効果および人体に有益な常在菌を活性化する効果を発揮するものである。
【００３６】
実施の形態１及び２で、前記堆肥と、前記珪藻土と、前記接着剤とを、水と混合して、出来た塗布材を、壁に塗布したり、フォトフレームやメッセージボード、コルクボード、壁掛けの額、掛け時計、といった、平面の板や、置き時計、置物などに塗布して使用する。
【００３７】
なお、フォトフレームやコルクボードなどには、２ミリメートル以上の厚さで塗布材を塗布している。壁や大きいツイタテなどに塗布する際にも、例えば雨で湿気が多い日に湿度を調整する効果が顕著なため、２ミリメートル以上の厚さで塗布材を塗布することが望ましい。
【００３８】
また、完成後の塗布材を塗りやすくするために、上記の、本発明の実施の形態１において、前記植物性乳酸菌溶液９と前記腐葉土１０を混合する前に、手動の製粉機又は、石臼又は、高温にならないミル、などの破砕機で前記腐葉土１０を破砕してもよい。
【００３９】
本発明の塗布材の特徴は、堆肥を含んでいることである。それも、単に腐葉土を珪藻土と混合するのではなく、腐葉土を植物性乳酸菌で発酵させて前記堆肥を得ることで、塗布後の変質や腐敗がないように性質を安定させている。次に、前記堆肥と珪藻土を混合して使用することで、前記珪藻土が持つ、室内の湿度を調整したり、有害な環境ホルモンなどを吸収して分解したり、消臭したりといった効果が期待できる。また、単に前記珪藻土のみを塗布するよりも、前記珪藻土と前記堆肥とを混合することで、効果を顕著なものにするため塗布面の厚みを増すことに成功している。なお、前記珪藻土は多孔質材料であり、適切な厚みがあることで塗布後も多くの植物性乳酸菌が存在していると考えられる。そのため前記塗布材が、屋内においても森林浴をしたようなリラクゼーションや、大きな癒しの効果を発揮したと考えられる。また、空気が清浄化されることによって、室内にいる人の気分が良くなったり精神の安定を促すことで、落ち着いて仕事をするための助けとなり、業務上のミスを減らしたり、業務の生産性を向上させる効果が、間接的に期待出来ると考えられる。
【００４０】
一般的に、発酵や腐敗や消化などに見られる有機物の分解は酵素の働きによるものだと言われていて、単に腐葉土を利用するのとは違って、腐葉土を植物性乳酸菌で発酵させる過程においても酵素が生じるために、本発明の塗布材は、乳酸菌が生存しやすい環境を保持したまま抗酸化素材の性質をも併せ持つことで、変質や腐敗に強く、塗布後も、長期間メンテナンスが不要であると考えられる。
【００４１】
古来より日本人は、家屋の中でも自然素材に触れることが出来て、乳酸菌や酵母菌などの常在菌が豊富な環境で暮らしていた。それが今日では、有害な環境ホルモンによってアレルギーやシックハウス症候群などの原因になったり、抗菌素材に囲まれるようになったことで外部からの有害な雑菌やウイルスに対しての抵抗力が著しく低下する原因になったと考えられる。
【００４２】
現代建築においては、木材などが外国から安く輸入できるようになったことで家は建てやすくなったが、同時に人が住みにくい家が建ってしまったと言える。
【００４３】
本発明の塗布材は、珪藻土が持つ建築素材からの環境ホルモンを遮断する効果および人体に有益な常在菌を活性化する効果を発揮することで、現代人が屋内で自然素材に触れることが出来る、古代人が過ごしていたような住環境を再現し、住む人の治癒力、回復力、抵抗力を高める一助となることを、目的としている。
【００４４】
なお、ここに記載したものは、この発明の１例であって、これに限定されるものではなく、この発明を逸脱しない範囲内で様々な変形や修正や応用例も含まれる。
【符号の説明】
【００４５】
１  密封可能の容器
２  水
３  黒砂糖
４  食塩
５、２６  撹拌棒
６  胚芽押麦
７  植物性乳酸菌
８  フタ
９  植物性乳酸菌溶液
１０  腐葉土
１１、３０  バケツ
１２、３１  調理用オタマジャクシ
１３、３２  撹拌棒
１４、３３  フタ
１５  堆肥
１６、３５  左官用のフネ
１７、３６  珪藻土
１８、３７  水
１９、３８  粘着剤
２０、３９  ヘラ
２１  黒砂糖
２２  食塩
２３  水
２４  黒砂糖２１と食塩２２と水２３を混合して得た溶液
２５  容器
２７  腐葉土
２８  調理用ミキサー
２９  腐葉土の溶液
３４  堆肥
【要約】
【課題】 従来の壁材には、壁紙（クロス）などの建築素材や接着剤から出る環境ホルモンを遮断したり、室内の湿度を調整したり、空気を清浄化する目的で珪藻土が使われたり、珪藻土に抗酸化素材を混ぜて使われることがあった。しかし、抗酸化素材には殺菌効果があったが、同時に常在菌が活性化しにくいという問題があった。
【解決手段】本発明は、上記の課題で述べたような従来の壁材が有していた問題を解決しようとするものであり、住人に有益な常在菌を活性化させ、外部からの菌やウイルスに対し抵抗力を高める壁材及び壁材の製造方法を提供することを目的とする。住人に有益な常在菌を活性化させ、外部からの菌やウイルスに対し抵抗力を高めるために、植物性乳酸菌によって腐葉土を発酵させて得た堆肥と、珪藻土と、粘着剤からなる壁材及びその製造方法を提供する。
【選択図】図５【図１】
0005727658.tif 000002
【図２】
0005727658.tif 000003
【図３】
0005727658.tif 000004
【図４】
0005727658.tif 000005
【図５】
0005727658.tif 000006
【図６】
0005727658.tif 000007
【図７】
0005727658.tif 000008
【図８】
0005727658.tif 000009
【図９】
0005727658.tif 000010
【図１０】
0005727658.tif 000011